【手続補正書】
【提出日】平成15年12月22日(2003.12.22)
【手続補正１】
【補正対象書類名】明細書
【補正対象項目名】特許請求の範囲
【補正方法】変更
【補正の内容】
【特許請求の範囲】
【請求項１】
記録内容を高保持記録する第１の磁性体と、最初は保持力が低く設定されており一度磁界に暴露されると著しく保持力が高くなる特性を有する第２の磁性体とからなる磁気層を備える磁気カードを発行する磁気カード発行機とこの磁気カード発行機により発行された磁気カードを処理する第１、第２の磁気カード処理機とからなる磁気カード処理システムにおいて、
上記磁気カード発行機が、
上記磁気カードの磁気層の第１の磁性体に第１の情報を記録し、第２の磁性体に第２の情報を記録する記録手段からなり、
上記第１の磁気カード処理機が、
上記磁気カードの磁気層の第１の磁性体に記録されている第１の情報と、第２の磁性体に記録されている第２の情報とを読取る第１の読取手段と、
この第１の読取手段により読取った第１の情報と第２の情報とを分離する分離手段と、
この分離手段により第２の情報が分離されるか否かにより、上記磁気カードの偽造を判定する第１の判定手段と、
この第１の判定手段により上記磁気カードが偽造でないと判定された際に、上記分離手段により分離される第１の情報により上記磁気カードの正当性を判定する第２の判定手段とからなり、
上記第２の磁気カード処理機が、
上記磁気カードの磁気層の第１の磁性体に記録されている第１の情報を読取る第２の読取手段と、
この第２の読取手段により読取られる第１の情報により上記磁気カードの正当性を判定する第３の判定手段とからなる、
ことを特徴とする磁気カード処理システム。
【請求項２】
記録内容を高保持記録する第１の磁性体と、最初は保持力が低く設定されており一度磁界に暴露されると著しく保持力が高くなる特性を有する第２の磁性体とからなる磁気層を備える磁気カードを発行する磁気カード発行機とこの磁気カード発行機により発行された磁気カードを処理する第１、第２の磁気カード処理機とからなる磁気カード処理システムにおいて、
上記磁気カード発行機が、
上記磁気カードの磁気層の第１の磁性体に第１の情報を記録し、第２の磁性体に第２の情報を記録する記録手段からなり、
上記第１の磁気カード処理機が、
上記磁気カードの磁気層の第１の磁性体に記録されている第１の情報と、第２の磁性体に記録されている第２の情報とを、所定の磁気ギャップ幅の第１の磁気ヘッドを用いて読取る第１の読取手段と、
この第１の読取手段により読取った第１の情報と第２の情報とを分離する分離手段と、
この分離手段により第２の情報が分離されるか否かにより、上記磁気カードの偽造を判定する第１の判定手段と、
この第１の判定手段により上記磁気カードが偽造でないと判定された際に、上記分離手段により分離される第１の情報により上記磁気カードの正当性を判定する第２の判定手段とからなり、
上記第２の磁気カード処理機が、
上記磁気カードの磁気層の第１の磁性体に記録されている第１の情報を、上記第１の磁気ヘッドの磁気ギャップ幅よりも大きな磁気ギャップ幅を有する第２の磁気ヘッドを用いて読取る第２の読取手段と、
この第２の読取手段により読取られる第１の情報により上記磁気カードの正当性を判定する第３の判定手段とからなる、
ことを特徴とする磁気カード処理システム。
【請求項３】
記録内容を高保持記録する第１の磁性体と、最初は保持力が低く設定されており一度磁界に暴露されると著しく保持力が高くなる特性を有する第２の磁性体とからなる磁気層を備える磁気カードを発行する磁気カード発行機とこの磁気カード発行機により発行された磁気カードを処理する第１、第２の磁気カード処理機とからなる磁気カード処理システムにおいて、
上記磁気カード発行機が、
上記磁気カードの磁気層の第１の磁性体に第１の情報を記録し、第２の磁性体に所定のパターンの第２の情報を記録する記録手段からなり、
上記第１の磁気カード処理機が、
上記磁気カードの磁気層の第１の磁性体に記録されている第１の情報と、第２の磁性体に記録されている第２の情報とを読取る第１の読取手段と、
この第１の読取手段により読取った第１の情報と第２の情報とを分離する分離手段と、
この分離手段により分離される第２の情報のパターンが所定のパターンと一致するか否かにより、上記磁気カードの偽造を判定する第１の判定手段と、
この第１の判定手段により上記磁気カードが偽造でないと判定された際に、上記分離手段により分離される第１の情報により上記磁気カードの正当性を判定する第２の判定手段とからなり、
上記第２の磁気カード処理機が、
上記磁気カードの磁気層の第１の磁性体に記録されている第１の情報を読取る第２の読取手段と、
この第２の読取手段により読取られる第１の情報により上記磁気カードの正当性を判定する第３の判定手段とからなる、
ことを特徴とする磁気カード処理システム。
【請求項４】
記録内容を高保持記録する第１の磁性体と、最初は保持力が低く設定されており一度磁界に暴露されると著しく保持力が高くなる特性を有する第２の磁性体とからなる磁気層を備える磁気カードを発行する磁気カード発行機とこの磁気カード発行機により発行された磁気カードを処理する第１、第２の磁気カード処理機とからなる磁気カード処理システムにおいて、
上記磁気カード発行機が、
上記磁気カードの磁気層の第１の磁性体に第１の情報を記録し、第２の磁性体に所定のパターンの第２の情報を記録する記録手段からなり、
上記第１の磁気カード処理機が、
上記磁気カードの磁気層の第１の磁性体に記録されている第１の情報と、第２の磁性体に記録されている第２の情報とを、所定の磁気ギャップ幅の第１の磁気ヘッドを用いて読取る第１の読取手段と、
この第１の読取手段により読取った第１の情報と第２の情報とを分離する分離手段と、
この分離手段により第２の情報のパターンが所定のパターンと一致するか否かにより、上記磁気カードの偽造を判定する第１の判定手段と、
この第１の判定手段により上記磁気カードが偽造でないと判定された際に、上記分離手段により分離される第１の情報により上記磁気カードの正当性を判定する第２の判定手段とからなり、
上記第２の磁気カード処理機が、
上記磁気カードの磁気層の第１の磁性体に記録されている第１の情報を、上記第１の磁気ヘッドの磁気ギャップ幅よりも大きな磁気ギャップ幅を有する第２の磁気ヘッドを用いて読取る第２の読取手段と、
この第２の読取手段により読取られる第１の情報により上記磁気カードの正当性を判定する第３の判定手段とからなる、
ことを特徴とする磁気カード処理システム。
【請求項５】
記録内容を高保持記録する第１の磁性体と、最初は保持力が低く設定されており一度磁界に暴露されると著しく保持力が高くなる特性を有する第２の磁性体とからなる磁気層を備える磁気カードを発行する磁気カード発行機とこの磁気カード発行機により発行された磁気カードを処理する第１、第２の磁気カード処理機とからなる磁気カード処理システムにおいて、
上記磁気カード発行機が、
上記磁気カードの磁気層の第１の磁性体に基本発行情報を記録し、第２の磁性体に隠蔽情報を記録する記録手段からなり、
上記第１の磁気カード処理機が、
上記磁気カードの磁気層の第１の磁性体に記録されている基本発行情報と、第２の磁性体に記録されている隠蔽情報とを読取る第１の読取手段と、
この第１の読取手段により読取った基本発行情報と隠蔽情報とを分離する分離手段と、
この分離手段により隠蔽情報が分離されるか否かにより、上記磁気カードの偽造を判定する第１の判定手段と、
この第１の判定手段により上記磁気カードが偽造でないと判定された際に、上記分離手段により分離される基本発行情報により上記磁気カードの正当性を判定する第２の判定手段とからなり、
上記第２の磁気カード処理機が、
上記磁気カードの磁気層の第１の磁性体に記録されている基本発行情報を読取る第２の読取手段と、
この第２の読取手段により読取られる基本発行情報により上記磁気カードの正当性を判定する第３の判定手段とからなる、
ことを特徴とする磁気カード処理システム。
【請求項６】
記録内容を高保持記録する第１の磁性体と、最初は保持力が低く設定されており一度磁界に暴露されると著しく保持力が高くなる特性を有する第２の磁性体とからなる磁気層を備える磁気カードを発行する磁気カード発行機とこの磁気カード発行機により発行された磁気カードを処理する第１、第２の磁気カード処理機とからなる磁気カード処理システムにおいて、
上記磁気カード発行機が、
上記磁気カードの磁気層の第１の磁性体に基本発行情報を記録し、第２の磁性体に隠蔽情報を記録する記録手段からなり、
上記第１の磁気カード処理機が、
上記磁気カードの磁気層の第１の磁性体に記録されている基本発行情報と、第２の磁性体に記録されている隠蔽情報とを、所定の磁気ギャップ幅の第１の磁気ヘッドを用いて読取る第１の読取手段と、
この第１の読取手段により読取った基本発行情報と隠蔽情報とを分離する分離手段と、
この分離手段により隠蔽情報が分離されるか否かにより、上記磁気カードの偽造を判定する第１の判定手段と、
この第１の判定手段により上記磁気カードが偽造でないと判定された際に、上記分離手段により分離される基本発行情報により上記磁気カードの正当性を判定する第２の判定手段とからなり、
上記第２の磁気カード処理機が、
上記磁気カードの磁気層の第１の磁性体に記録されている基本発行情報を、上記第１の磁気ヘッドの磁気ギャップ幅よりも大きな磁気ギャップ幅を有する第２の磁気ヘッドを用いて読取る第２の読取手段と、
この第２の読取手段により読取られる基本発行情報により上記磁気カードの正当性を判定する第３の判定手段とからなる、
ことを特徴とする磁気カード処理システム。
【請求項７】
記録内容を高保持記録する第１の磁性体と、最初は保持力が低く設定されており一度磁界に暴露されると著しく保持力が高くなる特性を有する第２の磁性体とからなる磁気層を備える磁気カードを発行する磁気カード発行機とこの磁気カード発行機により発行された磁気カードを処理する第１、第２の磁気カード処理機とからなる磁気カード処理システムにおいて、
上記磁気カード発行機が、
上記磁気カードの磁気層の第１の磁性体に基本発行情報を記録し、第２の磁性体に所定のパターンの隠蔽情報を記録する記録手段からなり、
上記第１の磁気カード処理機が、
上記磁気カードの磁気層の第１の磁性体に記録されている基本発行情報と、第２の磁性体に記録されている隠蔽情報とを読取る第１の読取手段と、
この第１の読取手段により読取った基本発行情報と隠蔽情報とを分離する分離手段と、
この分離手段により分離される隠蔽情報のパターンが所定のパターンと一致するか否かにより、上記磁気カードの偽造を判定する第１の判定手段と、
この第１の判定手段により上記磁気カードが偽造でないと判定された際に、上記分離手段により分離される基本発行情報により上記磁気カードの正当性を判定する第２の判定手段とからなり、
上記第２の磁気カード処理機が、
上記磁気カードの磁気層の第１の磁性体に記録されている基本発行情報を読取る第２の読取手段と、
この第２の読取手段により読取られる基本発行情報により上記磁気カードの正当性を判定する第３の判定手段とからなる、
ことを特徴とする磁気カード処理システム。
【請求項８】
記録内容を高保持記録する第１の磁性体と、最初は保持力が低く設定されており一度磁界に暴露されると著しく保持力が高くなる特性を有する第２の磁性体とからなる磁気層を備える磁気カードを発行する磁気カード発行機とこの磁気カード発行機により発行された磁気カードを処理する第１、第２の磁気カード処理機とからなる磁気カード処理システムにおいて、
上記磁気カード発行機が、
上記磁気カードの磁気層の第１の磁性体に基本発行情報を記録し、第２の磁性体に所定のパターンの隠蔽情報を記録する記録手段からなり、
上記第１の磁気カード処理機が、
上記磁気カードの磁気層の第１の磁性体に記録されている基本発行情報と、第２の磁性体に記録されている隠蔽情報とを、所定の磁気ギャップ幅の第１の磁気ヘッドを用いて読取る第１の読取手段と、
この第１の読取手段により読取った基本発行情報と隠蔽情報とを分離する分離手段と、
この分離手段により分離される隠蔽情報のパターンが所定のパターンと一致するか否かにより、上記磁気カードの偽造を判定する第１の判定手段と、
この第１の判定手段により上記磁気カードが偽造でないと判定された際に、上記分離手段により分離される基本発行情報により上記磁気カードの正当性を判定する第２の判定手段とからなり、
上記第２の磁気カード処理機が、
上記磁気カードの磁気層の第１の磁性体に記録されている基本発行情報を、上記第１の磁気ヘッドの磁気ギャップ幅よりも大きな磁気ギャップ幅を有する第２の磁気ヘッドを用いて読取る第２の読取手段と、
この第２の読取手段により読取られる基本発行情報により上記磁気カードの正当性を判定する第３の判定手段とからなる、
ことを特徴とする磁気カード処理システム。
【手続補正２】
【補正対象書類名】明細書
【補正対象項目名】０００６
【補正方法】変更
【補正の内容】
【０００６】
【課題を解決するための手段】
この発明の磁気カード処理システムは、記録内容を高保持記録する第１の磁性体と、最初は保持力が低く設定されており一度磁界に暴露されると著しく保持力が高くなる特性を有する第２の磁性体とからなる磁気層を備える磁気カードを発行する磁気カード発行機とこの磁気カード発行機により発行された磁気カードを処理する第１、第２の磁気カード処理機とからなるものにおいて、上記磁気カード発行機が、上記磁気カードの磁気層の第１の磁性体に第１の情報を記録し、第２の磁性体に第２の情報を記録する記録手段からなり、上記第１の磁気カード処理機が、上記磁気カードの磁気層の第１の磁性体に記録されている第１の情報と、第２の磁性体に記録されている第２の情報とを読取る第１の読取手段と、この第１の読取手段により読取った第１の情報と第２の情報とを分離する分離手段と、この分離手段により第２の情報が分離されるか否かにより、上記磁気カードの偽造を判定する第１の判定手段と、この第１の判定手段により上記磁気カードが偽造でないと判定された際に、上記分離手段により分離される第１の情報により上記磁気カードの正当性を判定する第２の判定手段とからなり、上記第２の磁気カード処理機が、上記磁気カードの磁気層の第１の磁性体に記録されている第１の情報を読取る第２の読取手段と、この第２の読取手段により読取られる第１の情報により上記磁気カードの正当性を判定する第３の判定手段とからなる。


【手続補正３】
【補正対象書類名】明細書
【補正対象項目名】０００７
【補正方法】変更
【補正の内容】
【０００７】
この発明の磁気カード処理システムは、記録内容を高保持記録する第１の磁性体と、最初は保持力が低く設定されており一度磁界に暴露されると著しく保持力が高くなる特性を有する第２の磁性体とからなる磁気層を備える磁気カードを発行する磁気カード発行機とこの磁気カード発行機により発行された磁気カードを処理する第１、第２の磁気カード処理機とからなるものシステムにおいて、上記磁気カード発行機が、上記磁気カードの磁気層の第１の磁性体に第１の情報を記録し、第２の磁性体に第２の情報を記録する記録手段からなり、上記第１の磁気カード処理機が、上記磁気カードの磁気層の第１の磁性体に記録されている第１の情報と、第２の磁性体に記録されている第２の情報とを、所定の磁気ギャップ幅の第１の磁気ヘッドを用いて読取る第１の読取手段と、この第１の読取手段により読取った第１の情報と第２の情報とを分離する分離手段と、この分離手段により第２の情報が分離されるか否かにより、上記磁気カードの偽造を判定する第１の判定手段と、この第１の判定手段により上記磁気カードが偽造でないと判定された際に、上記分離手段により分離される第１の情報により上記磁気カードの正当性を判定する第２の判定手段とからなり、上記第２の磁気カード処理機が、上記磁気カードの磁気層の第１の磁性体に記録されている第１の情報を、上記第１の磁気ヘッドの磁気ギャップ幅よりも大きな磁気ギャップ幅を有する第２の磁気ヘッドを用いて読取る第２の読取手段と、この第２の読取手段により読取られる第１の情報により上記磁気カードの正当性を判定する第３の判定手段とからなる。


【手続補正４】
【補正対象書類名】明細書
【補正対象項目名】０００８
【補正方法】変更
【補正の内容】
【０００８】
この発明の磁気カード処理システムは、記録内容を高保持記録する第１の磁性体と、最初は保持力が低く設定されており一度磁界に暴露されると著しく保持力が高くなる特性を有する第２の磁性体とからなる磁気層を備える磁気カードを発行する磁気カード発行機とこの磁気カード発行機により発行された磁気カードを処理する第１、第２の磁気カード処理機とからなるものにおいて、上記磁気カード発行機が、上記磁気カードの磁気層の第１の磁性体に第１の情報を記録し、第２の磁性体に第２の情報を記録する記録手段からなり、上記第１の磁気カード処理機が、上記磁気カードの磁気層の第１の磁性体に記録されている第１の情報と、第２の磁性体に記録されている第２の情報とを読取る第１の読取手段と、この第１の読取手段により読取った第１の情報と第２の情報とを分離する分離手段と、この分離手段により分離される第２の情報のパターンが所定のパターンと一致するか否かにより、上記磁気カードの偽造を判定する第１の判定手段と、この第１の判定手段により上記磁気カードが偽造でないと判定された際に、上記分離手段により分離される第１の情報により上記磁気カードの正当性を判定する第２の判定手段とからなり、上記第２の磁気カード処理機が、上記磁気カードの磁気層の第１の磁性体に記録されている第１の情報を読取る第２の読取手段と、この第２の読取手段により読取られる第１の情報により上記磁気カードの正当性を判定する第３の判定手段とからなる。


【手続補正５】
【補正対象書類名】明細書
【補正対象項目名】０００９
【補正方法】変更
【補正の内容】
【０００９】
この発明の磁気カード処理システムは、記録内容を高保持記録する第１の磁性体と、最初は保持力が低く設定されており一度磁界に暴露されると著しく保持力が高くなる特性を有する第２の磁性体とからなる磁気層を備える磁気カードを発行する磁気カード発行機とこの磁気カード発行機により発行された磁気カードを処理する第１、第２の磁気カード処理機とからなるものにおいて、上記磁気カード発行機が、上記磁気カードの磁気層の第１の磁性体に第１の情報を記録し、第２の磁性体に第２の情報を記録する記録手段からなり、上記第１の磁気カード処理機が、上記磁気カードの磁気層の第１の磁性体に記録されている第１の情報と、第２の磁性体に記録されている第２の情報とを、所定の磁気ギャップ幅の第１の磁気ヘッドを用いて読取る第１の読取手段と、この第１の読取手段により読取った第１の情報と第２の情報とを分離する分離手段と、この分離手段により第２の情報のパターンが所定のパターンと一致するか否かにより、上記磁気カードの偽造を判定する第１の判定手段と、この第１の判定手段により上記磁気カードが偽造でないと判定された際に、上記分離手段により分離される第１の情報により上記磁気カードの正当性を判定する第２の判定手段とからなり、上記第２の磁気カード処理機が、上記磁気カードの磁気層の第１の磁性体に記録されている第１の情報を、上記第１の磁気ヘッドの磁気ギャップ幅よりも大きな磁気ギャップ幅を有する第２の磁気ヘッドを用いて読取る第２の読取手段と、この第２の読取手段により読取られる第１の情報により上記磁気カードの正当性を判定する第３の判定手段とからなる。